(57)【要約】【課題】ＬＥＤ表示器におけるフリッカーを解消するとともに、各ＬＥＤ表示部の輝度をそれぞれ調整すること。【解決手段】ＬＥＤ表示器１と、マイクロコンピュータ２とを備え、ＬＥＤ表示器１は面積が異なる各表示部で構成され、マイクロコンピュータ２は、一定幅内でＬＥＤ素子をＯＮさせ、かつＬＥＤ素子をＯＮする信号を送信する際、ＬＥＤ素子の発光色と表示部の面積に応じた周期で、ＬＥＤ表示器１にＬＥＤ素子ＯＮの信号を送信する。【選択図】図１
2014074791.tif 000002
【特許請求の範囲】
【請求項１】
モジュール単位のＬＥＤ素子を多数配置して表示画面を構成しているＬＥＤ表示器と、前記ＬＥＤ表示器をコントロールするためのマイクロコンピュータとを備え、
前記ＬＥＤ表示器は面積が異なる各表示部で構成され、前記マイクロコンピュータは一定幅内でＬＥＤ素子をＯＮさせ、かつＬＥＤ素子をＯＮする信号を送信する際、ＬＥＤ素子の発光色と表示部の面積に応じた周期で前記ＬＥＤ表示器にＬＥＤＯＮの信号を送信することを特徴とするＬＥＤ表示器。
【請求項２】
被加熱物を収容する加熱室と、前記加熱室に設けられた開閉ドアと、前記加熱室内の被加熱物を加熱する加熱手段と、前記加熱手段を制御する主制御回路と、調理設定等を行うための入力手段と、調理設定等を表示するためのＬＥＤ表示器と、前記ＬＥＤ表示器をコントロールするためのマイクロコンピュータとを備え、前記ＬＥＤ表示器は面積が異なる各表示部で構成され、前記マイクロコンピュータは一定幅内でＬＥＤ素子をＯＮさせ、かつＬＥＤ素子をＯＮする信号を送信する際、ＬＥＤ素子の発光色と表示部の面積に応じた周期で前記ＬＥＤ表示器にＬＥＤＯＮの信号を送信することを特徴とする請求項１に記載のＬＥＤ表示器を搭載する加熱調理器。
【発明の詳細な説明】
【技術分野】
【０００１】
本発明は、マイクロコンピュータを用いたＬＥＤ表示器とそれを搭載した加熱調理器に関するものである。
【背景技術】
【０００２】
電子レンジで使用されるＬＥＤ表示器の１つとして、１つのＬＥＤ表示素子の光が周囲に漏れないように遮光ケースに格納して、表示したいピクト、文字などの形に光が遮断されないようにし、ＬＥＤ表示素子がＯＮしたときにそのピクト等が光っていることを認識できる構成となっているものがある。また、その制御方法としては、ＬＥＤ表示素子をマトリクス状に配列して、マトリクスの縦列は常時時分割でドライブし、マトリクスの横列はその配列状態に応じて設けられたスイッチとしてのトランジスタ素子を適宜オン・オフすることにより、前記のＬＥＤ表示素子を選択的に点灯するいわゆるダイナミック駆動方式が知られている。
【０００３】
一方、ＬＥＤ表示器の輝度調節として例えば特許文献１や特許文献２に示されているように、マトリクスの縦列に接続しているＯＮしたいＬＥＤ表示素子がドライブされているときに、マトリクスの横列の制御パルスのデューティを設定することにより所望のＬＥＤ表示素子のＯＮする長さを制御できるので、輝度調整を行える。
【０００４】
また、例えば特許文献３に示されているように、パソコン等の１フレームの画面を複数回表示させるＮ倍速（Ｎ＝２、３、…の自然数）表示を行うことにより、ＬＥＤの消灯している間隔が短くなり、人間の目はＬＥＤの消灯を感知しなくなる。これにより、フリッカーが解消される。
【先行技術文献】
【特許文献】
【０００５】
【特許文献１】特開２００２−２８７６８０号公報
【特許文献２】特開平４−３０６０５０号公報
【特許文献３】特開平１１−１６１２３０号公報
【発明の概要】
【発明が解決しようとする課題】
【０００６】
しかしながら、電子レンジで使用されるＬＥＤの発光色の違いやＬＥＤ表示器のピクトやｋｇ，ｈ，ｍｉｎといった各表示部は表示面積が違うので各ＬＥＤ表示素子の輝度が同じ場合、その表示部の輝度が違ってしまい、さらにそれによりフリッカー現象が起きやすいという課題を有していた。つまり同一の輝度でのＬＥＤ表示素子でも発光色が違うと、人間の目はＬＥＤの消灯を感知する感覚が変化し、フリッカー現象を感じやすくなる場合がある。例えば緑色のＬＥＤと白色のＬＥＤとでは白色のＬＥＤの方が明るい色であるので、消灯したときに相対的な感覚によりフリッカーを感知しやすくなる。また輝度が高くなればなるほど、消灯したときとの相対的な感覚によりフリッカーを感知しやすくなる。
【０００７】
本発明は、前記従来の課題を解決するもので、ＬＥＤ表示素子の１回にＯＮする時間を制限するとともに、ｎ回周期（ｎ＝１、２、３、…の自然数）の時間内にＯＮしたいＬＥＤ表示素子を最大ｎ回ＯＮし、かつＬＥＤ表示素子毎にｎの数値を変更することにより、輝度調整を行える構成としたＬＥＤ表示器を提供することを目的とする。
【課題を解決するための手段】
【０００８】
前記従来の課題を解決するために、本発明のＬＥＤ表示器は、モジュール単位のＬＥＤ素子を多数配置して表示画面を構成しているＬＥＤ表示器と、前記ＬＥＤ表示器をコントロールするためのマイクロコンピュータとを備え、前記ＬＥＤ表示器は面積が異なる各表示部で構成され、前記マイクロコンピュータは一定幅内でＬＥＤ素子をＯＮさせ、かつＬＥＤ素子をＯＮする信号を送信する際、ＬＥＤ素子の発光色と表示部の面積に応じた周期で前記ＬＥＤ表示器にＬＥＤＯＮの信号を送信することを特徴としたものである。
【０００９】
これによって、各ＬＥＤ表示部の輝度とＯＦＦ期間の間隔を調整でき、フリッカーを解消できる。
【００１０】
また、本発明の加熱調理器は、被加熱物を収容する加熱室と、前記加熱室に設けられた開閉ドアと、前記加熱室内の被加熱物を加熱する加熱手段と、前記加熱手段を制御する主制御回路と、調理設定等を行うための入力手段と、調理設定等を表示するためのＬＥＤ表示器と、前記ＬＥＤ表示器をコントロールするためのマイクロコンピュータとを備え、前記ＬＥＤ表示器は面積が異なる各表示部で構成され、前記マイクロコンピュータは一定幅内でＬＥＤ素子をＯＮさせ、かつＬＥＤ素子をＯＮする信号を送信する際、ＬＥＤ素子の発光色と表示部の面積に応じた周期で前記ＬＥＤ表示素子にＬＥＤＯＮの信号を送信することを特徴としたものである。
【００１１】
これによって、加熱調理器に搭載するＬＥＤ表示器の各ＬＥＤ表示部の輝度とＯＦＦ期間の間隔を調整でき、フリッカーを解消できる。
【発明の効果】
【００１２】
本発明のＬＥＤ表示器は、ＬＥＤが１回にＯＮする幅を制限し、ｎ回周期に１回〜ｎ回ＬＥＤ表示素子をＯＮすることによりＬＥＤ表示器のフリッカーの解消ができる。また各ＬＥＤ表示部の輝度調整を行えるので、例えばｍｉｎと０の表示は面積の違いによりＬＥＤ表示部の明るさが違ってしまう場合にでも、明るさを同等に調整できる。
【００１３】
また、本発明の加熱調理器は、ＬＥＤ表示器を搭載することにより、ＬＣＤ表示器に比べ長寿命となり、ビルトインレンジのタイプや天井から吊るして使用するレンジのタイプに搭載した場合に、交換することが非常に手間となるため寿命が長い分交換する機会が減るという効果がある。
【図面の簡単な説明】
【００１４】
【図１】本発明の実施の形態１におけるＬＥＤ表示器とマイクロコンピュータとのブロック図
【図２】本発明の実施の形態１におけるＬＥＤ表示器の詳細構成図
【図３】本発明の実施の形態１における加熱調理器の構成図
【図４】本発明の実施の形態１におけるＬＥＤ表示器のタイミングチャート
【図５】本発明の実施の形態２におけるＬＥＤ表示器のフローチャート
【発明を実施するための形態】
【００１５】
第１の発明のＬＥＤ表示器は、モジュール単位のＬＥＤ素子を多数配置して表示画面を構成しているＬＥＤ表示器と、前記ＬＥＤ表示器をコントロールするためのマイクロコンピュータとを備え、前記ＬＥＤ表示器は面積が異なる各表示部で構成され、前記マイクロコンピュータは一定幅内でＬＥＤ素子をＯＮさせ、かつＬＥＤ素子をＯＮする信号を送信する際、ＬＥＤ素子の発光色と表示部の面積に応じた周期で前記ＬＥＤ表示器にＬＥＤＯＮの信号を送信することを特徴としたものである。
【００１６】
これによって、各ＬＥＤ表示部の輝度とＯＦＦ期間の間隔を調整でき、フリッカーを解
消できる。
【００１７】
第２の発明の加熱調理器は、被加熱物を収容する加熱室と、前記加熱室に設けられた開閉ドアと、前記加熱室内の被加熱物を加熱する加熱手段と、前記加熱手段を制御する主制御回路と、調理設定等を行うための入力手段と、調理設定等を表示するためのＬＥＤ表示器と、前記ＬＥＤ表示器をコントロールするためのマイクロコンピュータとを備え、前記ＬＥＤ表示器は面積が異なる各表示部で構成され、前記マイクロコンピュータは一定幅内でＬＥＤ素子をＯＮさせ、かつＬＥＤ素子をＯＮする信号を送信する際、ＬＥＤ素子の発光色と表示部の面積に応じた周期で前記ＬＥＤ表示器にＬＥＤＯＮの信号を送信することを特徴としたものである。
【００１８】
これによって、加熱調理器に搭載するＬＥＤ表示器の各ＬＥＤ表示部の輝度とＯＦＦ期間の間隔を調整でき、フリッカーを解消できる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるＬＥＤ表示器１のブロック図を示すものである。
【００２１】
図１において、マイクロコンピュータ２（以下、マイコンと称す）とＬＥＤ表示器１との接続は、マイコンの６本のピンからトランジスタで構成された走査ライン出力回路部３を通じてＬＥＤ表示器１のＣＯＭ側（マトリクスの縦列）に接続されている。また、マイコン２の７本のピンからトランジスタで構成された表示データ出力回路部４を通じてＬＥＤ表示器１のＳＥＧ側（マトリクスの横列）に接続されている。
【００２２】
図２は、図１のＬＥＤ表示器１の詳細例を示す図、図３は、本発明の第１の実施の形態における図１のＬＥＤ表示器を搭載した加熱調理器の接続図を示すものである。
【００２３】
図３において、マイコン２は主制御回路１２を用いて加熱手段１１を制御し、入力手段１３よりインプットされた情報を元にマイコン２で管理している状態（ＯＦＦ、調理中、設定中など）が変化し、その状態に応じてＬＥＤ表示器に表示する構成になっている。
【００２４】
以上のように構成された加熱調理器について、以下にその動作、作用を説明する。
【００２５】
まず、入力手段１３よりメニューを選択し、時間設定を行われる場合、ＬＥＤ表示器１には０とｍｉｎの表示が行われる。０を表示するための７セグメントの表示部上５、表示部右上６、表示部右下７、表示部下８、表示部左下９、及び表示部左上１０は、ＣＯＭ４のＳＥＧ１〜ＳＥＧ６に対応されており、例えば７セグメントで「５」の部分を光らせるためには、ＣＯＭ４のスキャン中にＳＥＧ１をＯＮすればよい。同様に「６」の部分はＣＯＭ４のスキャン中にＳＥＧ２をＯＮする、といった具合である。
【００２６】
また、ＣＯＭ５のスキャン中にＳＥＧ６をＯＮすればｍｉｎの表示が行われる。
【００２７】
ところで、図４に示すように、ＣＯＭのスキャンは５００μｓｅｃ毎に切換が行われ、最初にＣＯＭ１に接続されているマイコンのピンからＨｉ信号を出力すると、走査ライン出力回路部のトランジスタがＯＮするため、ＣＯＭ１のラインがＨｉ状態になる。これを５００μｓｅｃ間保持し、次の５００μｓｅｃでＣＯＭ１に接続されているマイコンのピンからＬｏｗ信号を出力すると、走査ライン出力回路部のトランジスタがＯＦＦするため
、ＣＯＭ１のラインがＬｏｗ状態になり、続いてＣＯＭ２のラインをＨｉ状態にする。次の５００μｓｅｃ後にはＣＯＭ２のラインをＬｏｗ状態にし、ＣＯＭ３のラインをＨｉ状態にする。同様に５００μｓｅｃ毎にＣＯＭ４、ＣＯＭ５、ＣＯＭ６とＨｉ状態にしていきＣＯＭ６がＨｉ状態のときに５００μｓｅｃ後にはＣＯＭ６がＬｏｗ状態になった後、ＣＯＭ１へ戻りそれを繰り返す。
【００２８】
このとき、図２のｍｉｎの表示部の輝度をレベル５（一番高い）、５〜１０の表示部の輝度を全てレベル３に設定したい場合、ＣＯＭのスキャンを５周期分行うことで１つの表示処理という構成をとり、図４に示すように１周期目、３周期目、５周期目のＣＯＭ４がＨｉ状態のときに、ＳＥＧ１〜ＳＥＧ５をＯＮさせる。すると０が光って表示される。また、１周期〜５周期目でＣＯＭ５がＨｉ状態のときに、ＳＥＧ６をＯＮさせる。するとｍｉｎが光って表示される。このときｍｉｎは図２に示される７セグメントの一部である５等よりも面積が広いので輝度をレベル５にする必要があり、７セグメントは、レベル３にすると同じくらいの明るさに見えるようになる。さらに７セグメントとｍｉｎが消灯している時間は５．５ｍｓと２．５ｍｓであるので人間の目には感知できず、フリッカー現象は起こらない。
【００２９】
次に、輝度レベル１（一番低い）を設定する場合を考えてみる。レベル１の場合は消灯する時間が１５ｍｓと長くなりフリッカーを感知しやすい条件となるが、輝度が低いのでＯＦＦしたときとの相対的な感覚により、人間の目は感知できずフリッカー現象は起こらない。もし消灯する時間が同じ１５ｍｓであり、ＣＯＭのＯＮする時間が５００μｓｅｃではなく、２．５ｍｓであったなら人間の目で感知できてしまい、フリッカー現象は起きてしまう。
【００３０】
以上のように、本実施の形態において、ＬＥＤが１回ＯＮする時間を５００μｓｅｃとし、ＣＯＭのスキャンを５周期分行うことで１つの表示処理という構成を取ることにより、各表示部の輝度の調整およびフリッカー現象を解消できる。
【００３１】
（実施の形態２）
図５は、本発明の第２の実施の形態のＬＥＤ表示器のフローチャートである。なお、実施例１と同一符号のものは同一構造を有し、説明は省略する。
【００３２】
まず、マイコン２はステップＳ１にて、ＣＯＭ  Ｎｏ．を１にし、周期Ｎｏ．を１に設定する。ＣＯＭ  Ｎｏ．はＣＯＭ１〜ＣＯＭ６のどの状態でＨｉを出すのかを管理するカウンタである。周期Ｎｏ．は５周期分の周期の１番目〜５番目のどの状態なのかを管理するカウンタである。
【００３３】
次に、ステップＳ２では、マイコンはＣＯＭ１〜ＣＯＭ６を一旦Ｌｏｗ状態にするために全てのＣＯＭにＬｏｗ信号を送信し、ステップＳ３でＣＯＭ  Ｎｏ．に従ったＣＯＭにＨｉ信号を送信する。この場合ではＣＯＭ１にＨｉ信号を送信する。
【００３４】
ステップＳ４ではマイコンで管理している表示するべきデータからＣＯＭ  Ｎｏ．と周期  Ｎｏ．に対応したＯＮすべきＳＥＧをステップＳ５にてＯＮさせる。例えば０ｍｉｎを表示させる場合、１周期目のＣＯＭ４のときにはＳＥＧ１〜ＳＥＧ５をＯＮさせる。１周期目のＣＯＭ５のときにはＳＥＧ６だけをＯＮさせる。
【００３５】
ステップＳ６では５００μｓｅｃ間何もせずに待つ。ステップＳ７ではＣＯＭ  Ｎｏ．をカウントアップさせる。この場合ではＣＯＭ２にする。
【００３６】
ステップＳ８ではＣＯＭ７以上になったかどうか判定し、ＣＯＭ７以上でないならステ
ップＳ２に戻る。ＣＯＭ７以上であるなら次のステップに進む。
【００３７】
ステップＳ９ではＣＯＭ  Ｎｏ．を１に戻し、ステップＳ１０で周期Ｎｏ．をカウントアップする。この場合では２周期目となる。
【００３８】
次に、ステップＳ１１では、周期Ｎｏ．が６以上かどうか判定し、６周期目以上でないならステップＳ２に戻る。６周期目以上なら１周期目に戻し、ステップＳ２に戻り初めからやり直す。
【産業上の利用可能性】
【００３９】
以上のように、本発明のＬＥＤ表示器は、ソフトウェアの構成の変更のみで実現可能なため、容易に加熱調理器のみならず他の電気製品への展開も図れる。
【符号の説明】
【００４０】
１  ＬＥＤ表示器
２  マイコン（マイクロコンピュータ）
３  走査ライン出力回路部
４  表示データ出力回路部
５  表示部上
６  表示部右上
７  表示部右下
８  表示部下
９  表示部左下
１０  表示部左上
１１  加熱手段
１２  主制御回路
１３  入力手段
【図１】
2014074791.tif 000003
【図２】
2014074791.tif 000004
【図３】
2014074791.tif 000005
【図５】
2014074791.tif 000006
【図４】
2014074791.tif 000007